(57)【特許請求の範囲】
【請求項１】
互いに離れた状態で床に立設した３本以上の支柱の群と、２本の支柱をその上端部において連結する水平ビームの複数本とを備えており、前記支柱群は、前記複数の水平ビームによって全体として一体に連結されていると共に、複数本の水平ビームが連結された中間支柱と１本の水平ビームが連結されたエンド支柱とに分かれており、前記支柱群のうち少なくとも１本のエンド支柱に、当該支柱を囲う天板を脚で支持して成るテーブルが取付けられている、
という構造体であって、
前記テーブルの天板は平面視で支柱を挟んだ外側方向に離反し得る複数枚の単位板に分割されており、これら単位板を連結することにより、支柱を囲うように穴が空いた１枚板状の天板が形成されている一方、前記脚は、天板の下面及び支柱に固定された水平部と、床に当接して天板を支持する足部とを有しており、かつ、エンド支柱に取付けられた前記テーブルにおける脚の足部は、少なくとも、平面視においてエンド支柱に取付けられた水平ビームを挟んだ両側又は片側に配置されている、
テーブル付き構造体。
【請求項２】
前記テーブルにおける脚の水平部は隣り合った２枚の単位板に跨がった状態に配置されていて、前記隣り合った２枚の単位板はそれぞれ脚の水平部に設けたブラケットにねじで固定されており、更に、前記テーブルにおける天板の内周と支柱との間にはケーブル類を引出しできる空間が空いている、
請求項１に記載したテーブル付き構造体。
【発明の詳細な説明】
【０００１】
【発明の属する技術分野】
本発明は、室内又は室外に設置して各種の用途に供せられるテーブル付き構造体に関するものである。
【０００２】
【従来の技術】
室内や室外に談話スペースや休憩スペース、事務用スペース、会議用スペースなどの様々の用途のスペースを設けるため、支柱群の上端を水平ビーム（横梁材）で連結したオープン式の構造体が提案されている。
【０００３】
この種の構造体は、支柱にテーブルやプランターを取り付けたり、支柱で囲われた内側にテーブルや椅子を設置したり、水平ビームにボードを吊り懸けたり、隣り合った支柱にパネルを取り付けたりというように、他の家具類や物品類を取り付けたり設置したりして様々の用途に使用されている。
【０００４】
そして、特許文献１には、３本の支柱を互いに水平ビームで連結して平面視三角形と成したものを最小ユニットとして、ユニットの複数個を様々の態様に連結した構造体が記載されている。
【０００５】
【特許文献１】
特開２０００−１３８６９２号公報
【０００６】
【発明が解決しようとする課題】
この種の構造体は、既設の建物に後付けによって設置するものであるため、必然的に、水平ビームの高さは天井よりも低くなる。
【０００７】
他方、前記特許文献１では、各ユニットにおいて水平ビームは平面視でループ状の形態を成している。従って、使用者が支柱で囲われた内側に出入りするには、いわば鴨居をくぐるように常に水平ビームをくぐることになる。
【０００８】
そして、既述のとおり、水平ビームの高さは天井よりも低いため、特許文献１の構成では、使用者が圧迫感を受けやすいという問題があった。また、一つのユニットは平面視で二等辺三角形状になっているため、支柱間の間隔や支柱の配置を自由に設定することが困難であるという問題もあった。更に、水平ビームの本数が多いため構成が複雑化する点も問題であった。
【０００９】
本発明は、このような問題を改善した構造体を提供することを課題とするものである。
【００１０】
【課題を解決するための手段】
本願発明は、「互いに離れた状態で床に立設した３本以上の支柱の群と、２本の支柱をその上端部において連結する水平ビームの複数本とを備えており、前記支柱群は、前記複数の水平ビームによって全体として一体に連結されていると共に、複数本の水平ビームが連結された中間支柱と１本の水平ビームが連結されたエンド支柱とに分かれており、前記支柱群のうち少なくとも１本のエンド支柱に、当該支柱を囲う天板を脚で支持して成るテーブルが取付けられている」、という構造体を対象にしている。
【００１１】
そして、特徴として、「前記テーブルの天板は平面視で支柱を挟んだ外側方向に離反し得る複数枚の単位板に分割されており、これら単位板を連結することにより、支柱を囲うように穴が空いた１枚板状の天板が形成されている一方、前記脚は、天板の下面及び支柱に固定された水平部と、床に当接して天板を支持する足部とを有しており、かつ、エンド支柱に取付けられた前記テーブルにおける脚の足部は、少なくとも、平面視においてエンド支柱に取付けられた水平ビームを挟んだ両側又は片側に配置されている」、という構成になっている。
【００１２】
請求項２の発明は、請求項１において、前記テーブルにおける脚の水平部は隣り合った２枚の単位板に跨がった状態に配置されていて、前記隣り合った２枚の単位板はそれぞれ脚の水平部に設けたブラケットにねじで固定されており、更に、前記テーブルにおける天板の内周と支柱との間にはケーブル類を引出しできる空間が空いている。
【００１３】
【発明の作用・効果】
本発明によると、支柱の数が特許文献１と同じであっても水平ビームの数は少ないため、使用者が圧迫感を受けることを著しく抑制することができる。また、エンド支柱は１本の水平ビームで中間支柱に連結されているに過ぎないため、エンド支柱と中間支柱との間隔やエンド支柱の位置の変更も容易となる。
【００１４】
また、テーブルの天板が脚の水平部でエンド支柱に連結されておりしかも脚の足部が平面視で水平ビームを挟んだ片側又は両側に配置されているため、家具の脚がエンド支柱の倒れに抗する機能を果たしており、その結果、エンド支柱に１本の水平ビームを連結した簡素な構造の構造体でありながら、エンド支柱の安定性を格段に向上することができる。
【００１５】
また、本願発明では、テーブルの天板は複数枚の単位板を連結して全体として１枚板状に形成されているため、エンド支柱を立設した状態でテーブルの取付け・取り外しを行うことができ、このため施工が頗る楽である。
【００１６】
【発明の実施形態】
次に、本発明の実施形態を図面に基づいて説明する。
【００１７】
(1).第１実施形態（図１〜図10）
まず、図１〜図１０に基づいて第１実施形態を説明する。図１のうち（Ａ）は概略斜視図、（Ｂ）は概略平面図である。この図１に示すように、構造体は、複数本（６本）の支柱１，２の群と、隣合った支柱１，２をその上部において連結する水平ビーム３の群とを備えている。
【００１８】
支柱群は、３本の水平ビーム３が連結されている２本の中間支柱１と、中間支柱１に連結された水平ビーム３が１本だけ連結されているエンド支柱２との２種類が存在しており、エンド支柱２に、テーブル４を固定している。
【００１９】
中間支柱１から延びる３本の水平ビーム３は平面視で１２０度間隔で広がっている。各支柱１，２には、ブラケット（図示せず）を介して小棚板２８を着脱自在に取り付けることができる。次に、各部位の詳細を図２以下の図面に基づいて説明する。
【００２０】
(2).支柱
まず、図２〜図５に基づいて支柱１，２の構造とテーブル４との取付け構造について説明する。図２は図１のII−II視断面図であり、図３は支柱１，２の分離断面図、図４は図２のIV−IV視断面図、図５のうち（Ａ）は分離断面図、（Ｂ）は（Ａ）のＢ−Ｂ視底面図である。
【００２１】
図２に示すように、支柱１，２は、平面視略略三角形で中空状のインナー部材５と、インナー部材５の外側に配置された３本のアウター部材６とで構成されている。インナー部材５のうち平面視で三角形の底辺をなす部分には、蟻溝型係合部７が形成されている。
【００２２】
他方、アウター部材６は、全体として中空状でかつ半径外側の部分が巾広になった形状であり、半径内側の部分には、軸方向からの抜き差しによってインナー部材５の蟻溝型係合部７に係脱する凸状型係合部８が形成されている。また、アウター部材６の外周部には、上下長手の第１蟻溝９が中心線を挟んだ両側に対称状に形成されている。
【００２３】
隣合ったアウター部材６の間は外側に開口した配線空間１１となっており、この配線空間１１は、平面視円弧状のカバー１０で着脱自在に塞がれている。カバー１０の長手両側面には、アウター部材６の段部６ａに係脱する係合爪１０ａを設けている。
【００２４】
インナー部材５のうち平面視で三角形の頂点寄り部分には第１円弧条溝１３が形成され、アウター部材６のうち半径方向の約中途部には第２円弧状溝１４と第３円弧条溝１５が形成されており、第１円弧条溝１３と第２円弧条溝１４とにねじ込まれたねじ１６により、インナー部材５とアウター部材６とをアジャスター受け１７の支持板１８に固定している。
【００２５】
図５に示すように、アジャスター受け１７の支持板１８には、下向き筒部１９とアジャスターボルト２０とが固着されており、アジャスターボルト２０を、アジャスター２１のナット板２２にねじ込んでいる。アジャスター２１のナット板２２には筒部２３を一体に固着しており、筒部２３はベース板２４に固着されている。
【００２６】
従って、アジャスター２１を水平回転させることにより、支柱１，２の高さを調節することができる。なお、ベース板２４はアンカーによって床に固定することも可能である。また、ベース板２４を広い面積とすることにより、支柱１，２の安定性を向上させてもよい。
【００２７】
例えば図３に明瞭に示すように、アジャスター受け１７の支持板１８には、配線空間１１に連通する配線通路２５を切り開き形成している。電源用や通信用等のケーブル類２６は、床内に埋設したダクトから床上に引き出すことが多いことから、床上に引き出した（或いは這わせた）ケーブル類２６は、配線通路２５と配線空間１１とを介してテーブル上に引き出すことができる。なお、配線作業はカバー１０を取り外すことによって簡単に行える。
【００２８】
インナー部材５とアウター部材６とは、アルミ等の軽合金を素材とした押し出し成形品であるが、板金製等であっても良い。また、カバー１０は合成樹脂の押し出し成形品を採用しているが、これも板金製等とすることが可能である。
【００２９】
(3).テーブル
テーブル４は、３枚の単位板２９で構成された天板とこれを支持する３組の脚３０とを備えている。各単位板２９は平面視１２０度の角度で広がっており、３枚の単位板２９を連結することでドーナツ形状の天板が構成されている。換言すると、エンド支柱２を囲うよう穴が空いたドーナツ形状の天板は、平面視でエンド支柱２の回りに１２０度の角度で広がる３枚の単位板２９に３等分に分割されている。天板（単位板２９）の内周と支柱１，２との間には、ケーブル類２６を引き出しできるようある程度の間隔が空いている。
【００３０】
他方、各脚３０は、単位板２９から成る天板の下面に沿って延びる水平部３０ａと、その先端に固定した足部３０ｂと、支柱１，２におけるアウター部材６の外面に重なる鉛直状の取付け部３０ｃと、取付け部３０ｃと足部３０ｂとを連結する補強杆３８ｄとを備えており、１つの脚３０の水平部３０ａは隣り合った２枚の単位板２９に下方から跨がった状態で配置されている。
【００３１】
そして、脚３０の水平部３０ａに固定したブラケット板３１を単位板２９にねじで固定している。このため、３枚の単位板２９が互いに連結されて全体として１枚板状になっている。脚３０の取付け部３０ｃは、支柱１，２におけるアウター部材６の第１蟻溝９を塞ぐ巾寸法であり、この取付け部３０ｃに貫通したねじ３２を第１蟻溝９に嵌め入れた板ナット３３にねじ込むことにより、脚３０をエンド支柱２に固定している。
【００３２】
３組の脚部３０のうち１組の脚３０は平面視で水平ビーム３と重なるように延びており、他の２組の脚３０は、平面視で水平ビーム３を挟んだ外側に広がるように延びている。
【００３３】
配線空間１１からテーブル４上にケーブル類２６を引き出すに当たっては、カバー１０を上下に分離して、上下に分離したカバー１０の間からケーブル類２６を引き出しても良いし、カバー１０を部分的に切欠いて、この切欠きからケーブル類２６を引き出してもよい。
【００３４】
なお、テーブル４の形態や支柱１，２への取付け方法は様々な方法を採用できる。例えば、天板は２枚の単位板２９に分割することも可能である。本実施形態では、複数枚の単位板２９を連結して天板を全体としてドーナツ状に形成したものであるため、エンド支柱２を立設した状態でテーブル４の取付け・取り外しを行え、施工が頗る楽である。
【００３５】
また、脚は、単に天板２８の下面に固定しただけの構造としても良い。テーブル４をエンド支柱２に固定せずに単に床に設置することも可能であるが、本実施形態のようにエンド支柱２に固定すると、お互いが補強し合って両者の安定性を格段に向上させることができる。
【００３６】
また、エンド支柱２は、平面視で水平ビーム３と交叉した方向から作用する外力に弱いが、本実施形態では、２本の脚３０の足部３０ｂが平面視で水平ビーム３を挟んだ両側に配置されているため、安定性を格段に向上させることができる。テーブル４が大きい場合は、脚３０の本数を増やせばよい。
【００３７】
詳細は省略するが、アウター部材６の第１蟻溝９に、既述した板ナット３３や、多数の係合穴を空けたハンギングプレートなどを嵌め入れて、これら板ナット３３やハンギングプレートにブラケットを固定又は係止し、このブラケットによって小棚板２８を支持したり、液晶等のモニター（ディスプレイ）を取付けたりというように、アウター部材６の第１蟻溝９を利用して各種の物品の取付けに利用することができる。
【００３８】
(4).支柱と水平ビームとの連結構造
次に、支柱１，２と水平ビーム３との連結構造を図６〜図１０に基づいて説明する。
【００３９】
図６は中間支柱１の箇所での平面図、図７は分離正面図、図８のうち（Ａ）は図７のVIII−VIII視平面図、（Ｂ）は図７のVIII−VIII視底面図、（Ｃ）（Ｄ）は他の連結金具の平面図、図９のうち（Ａ）は図６のIXA-IXA 視断面図、（Ｂ）は図６のIXB-IXB 視断面、図１０は補強部材の斜視図である。
【００４０】
水平ビーム３は、図９に示すように、全体としては中空の略角形に形成されており、長手中心線に沿って延びる第１上向き開口溝３５と、その両側に形成された第２上向き開口溝３６と、両側面に開口した第２蟻溝３７と、下向きに開口した第３蟻溝３８とを備えている。
【００４１】
各上向き開口溝３５，３６にはケーブル類２６を這わせることができる。また、第２及び第３の蟻溝３７，３８には、映写用幕や目隠し用幕類、カーテン、ホワイトボード等の様々の物品や機器類を吊懸けることができる。
【００４２】
中間支柱１と水平ビーム３とを連結するに当たっては、図６〜図９に示す中間用の連結金具３９が使用されている。この連結金具３９は、支柱１，２の内部に上方からきっちり嵌まり込む平断面六角形の足部４０と、各水平ビーム３の端部に嵌まり込む角筒状の３本の水平腕部４１とを溶接によって固着した態様になっており、水平腕部４１にねじ４２で水平ビーム３を固定している。
【００４３】
図９（Ａ）に示すように、水平ビーム３における第３蟻溝３８を構成する下板３８ａの端部は、連結金具３９の水平腕部４１が嵌まるように切欠かれており、このため連結金具３９の端部には下向き開口部４３が形成されている。このため、支柱１，２を所定位置に固定した状態で水平ビーム３を取付けることができる。
【００４４】
エンド支柱２と水平ビーム３とを連結するためのエンド用の連結金具３９′は、図８（Ｃ）に示すように１本の水平腕部４１を備えた形状になる。また、１本の中間支柱に２本の水平ビーム３を平面視でく字状の姿勢で取付けるための連結金具３９″の場合は、図８（Ｄ）に示すように、２本の水平腕部４１を備えた形状になる。
【００４５】
例えば図７に示すように、支柱１，２におけるインナー部材５の上部には、連結金具３９のアーム４１が嵌まる上向き開口の切欠き５ａを形成している。このため、連結金具３９はきっちりと位置決めされる。
【００４６】
水平ビーム３はインナー部材５の側面に突き合わさるように配置されており、このため、図７に示すように、インナー部材５の上部はアウター部材６及びカバー１０から上向きに突出している。このため、水平ビーム３が交叉している状態が露出したままであると体裁が悪い。
【００４７】
そこで、各水平ビーム３の付け根部を、アウター部材６及びカバー１０と同じ曲率半径の筒状の天キャップ４４で隠している。従って、天キャップ４４には、水平ビーム３に嵌まる下向き開口の切欠き４５が形成されている。天キャップ４４は上下に開口していても良いし、上面が天板で塞がれていても良い。
【００４８】
中間支柱１に連結された水平ビーム３を補強部材で固定して、補強することができる。その一例を図６，図９，図１０で示している。すなわちこの補強部材４６は、隣合った水平ビーム３における第２上向き開口溝３６を覆うような一対の嵌合部４６ａを備えており、この嵌合部４６ａを、水平ビーム３の第２上向き開口溝３５における蟻溝に嵌め入れた板ナット４８にねじ４７で固定している。
【００４９】
(5).第２実施形態（図11〜図12）
図１１〜図１２では第２実施形態を示している。この実施形態では、１本の中間支柱１から４本の水平ビーム３が平面視で放射状に延びており、各エンド支柱２にテーブル４を取付けている。
【００５０】
この実施形態では、各支柱１，２がインナー部材５とアウター部材６とから成っている点は第１実施形態と同じであるが、インナー部材５は中空の四角形状に形成されており、これに伴って、アウター部材６とカバー１０とが４本ずつになっている。
【００５１】
また、テーブル４の天板は半円状の単位板２９に２分割されており、全体として４本の足部３０ｂで支持されている。本実施形態では、水平ビーム３は平面視でＴ字状やＬ字状のように、平面視で直角の姿勢を基本として自在に組み合わせることができる。
【００５２】
(6).他の実施形態（図12〜図13）
図１２に示す第３実施形態の構造体は、１本のエンド支柱２と中間支柱１とに長いテーブル４を固定し、他の支柱１，２に椅子（ソファ）４８を固定している。テーブル４の天板は２枚の単位板２９からなる２分割方式になっている。詳細は省略するが、椅子４８はブラケットを介して支柱１，２に固定されている。支柱１，２の構造は第１実施形態と同様である（他の構造でも良い）。
【００５３】
図１４に示す第４実施形態の構造体は、水平ビーム３がジグザグ状に延びるように構成されている（なお、エンド支柱２に設けたテーブルの天板の分割状態は省略している。）。また、図１５に示す第５実施形態では、４本の中間支柱１を水平ビーム３で連結することにより、４本の水平ビーム３がループ状に連結されており、２本の中間支柱１にそれぞれ１本の水平ビーム３を介してエンド支柱２を連結されており、両エンド支柱２に平面視角形のテーブル４を取付けている。符号４′は本願発明の実施形態ではないテーブルを示し、符号２９′は同じく本願発明の実施形態ではない天板を示している。
【００５４】
(7).その他
本発明は上記の他にも様々に具体化することができる。
【００５５】
例えば、水平ビームの断面形状や支柱との連結構造などは、必要に応じて様々に具体化することができる。また、支柱の群には、テーブルに加えて、机や椅子の他にキャビネットや棚等を固定することも可能である。
【図面の簡単な説明】
【図１】第１実施形態の概略図で、 (A)は斜視図、 (B)は平面図である。
【図２】図１のII−II視断面図である。
【図３】支柱の分離断面図である。
【図４】図２のIV−IV視断面図である。
【図５】 (A)は分離断面図、 (B)は (A)の B-B視底面図である。
【図６】中間支柱の箇所での平面図である。
【図７】支柱と水平ビームとの連結状態を示す分離図である。
【図８】 (A)は図７のVIII−VIII視平面図、 (B)は図７のVIII−VIII視底面図、(C)(D)は他の連結金具の平面図である。
【図９】 (A)は図６のIXA-IXA 視断面図、 (B)は図６のIXB-IXB 視断面図である。
【図10】補強部材の斜視図である。
【図11】第２実施形態の斜視図である。
【図12】図１１のXII-XII 視断面図である。
【図13】第３実施形態の斜視図である。
【図14】第４実施形態の概略平面図である。
【図15】第５実施形態の概略平面図である。
【符号の説明】
１  中間支柱
２  エンド支柱
３  水平ビーム
４  テーブル
５  支柱を構成するインナー部材
６  支柱を構成するアウター部材
２９  天板を構成する単位板
３０  脚
３０ａ  脚の水平部
３０ｂ  脚の足部
３０ｃ  脚の取付け部
３１    脚における水平部のブラケット
３９  連結金具
【図１】
0003940068.tif 000002
【図２】
0003940068.tif 000003
【図３】
0003940068.tif 000004
【図４】
0003940068.tif 000005
【図５】
0003940068.tif 000006
【図６】
0003940068.tif 000007
【図７】
0003940068.tif 000008
【図８】
0003940068.tif 000009
【図９】
0003940068.tif 000010
【図１０】
0003940068.tif 000011
【図１１】
0003940068.tif 000012
【図１２】
0003940068.tif 000013
【図１３】
0003940068.tif 000014
【図１４】
0003940068.tif 000015
【図１５】
0003940068.tif 000016